(57)【特許請求の範囲】
【請求項１】
交流電圧を整流する整流部と、入力側と出力側が絶縁されており、前記整流部によって整流された電圧が前記入力側に供給され、前記出力側から変換した電圧を出力するトランスと、前記トランスの前記入力側に接続されたスイッチング素子と、前記スイッチング素子を駆動した際に発生する熱を放熱する放熱部を有するスイッチング電源のラインフィルタであって、
前記整流部と前記トランスの前記入力側の間に接続されたチョークコイルと、
前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、
前記放熱部と前記トランスの前記入力側の前記二本の電圧供給ラインのうちのグランド電位側のラインを接続した第一ラインと、
前記第一容量素子と前記トランスの前記出力側を接続した前記二本の電圧出力ラインのうちのグランド電位側のラインを接続した第二ラインと、を有し、
前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とするラインフィルタ。
【請求項２】
前記第一容量素子とは、前記電圧供給ライン間に接続された二つの前記容量素子を直列接続した構成であり、
前記整流部に対して前記電圧供給ライン間に接続された第三容量素子と、前記整流部と前記直列接続された二つの容量素子の間に接続された第四容量素子を有する請求項１に記載のラインフィルタ。
【請求項３】
前記第三容量素子の容量は、前記第四容量素子の容量より小さいことを特徴とする請求項２に記載のラインフィルタ。
【請求項４】
前記第四容量素子と前記前記直列接続された二つの容量素子の間に接続されたチョークコイルを有することを特徴とする請求項２に記載のラインフィルタ。
【請求項５】
交流電圧を整流する整流部と、
入力側と出力側が絶縁されており、前記整流部によって整流された電圧が前記入力側に供給され、前記出力側から変換した電圧を出力するトランスと、前記トランスの前記入力側に接続されたスイッチング素子と、
前記スイッチング素子を駆動した際に発生する熱を放熱する放熱部と、
前記整流部と前記トランスの前記入力側の間に接続されたチョークコイルと、
前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、
前記放熱部と前記トランスの前記入力側の前記二本の電圧供給ラインのうちのグランド電位側のラインを接続した第一ラインと、
前記第一容量素子と前記トランスの前記出力側を接続した前記二本の電圧出力ラインのうちのグランド電位側のラインを接続した第二ラインと、を有し、
前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とするスイッチング電源。
【請求項６】
記録材に画像を形成するための画像形成装置において、
前記画像形成装置に電力を供給するスイッチング電源、を有し、
前記スイッチング電源は、
交流電圧を整流する整流部と、
入力側と出力側が絶縁されており、前記整流部によって整流された電圧が前記入力側に供給され、前記出力側から変換した電圧を出力するトランスと、前記トランスの前記入力側に接続されたスイッチング素子と、
前記スイッチング素子を駆動した際に発生する熱を放熱する放熱部と、
前記整流部と前記トランスの前記入力側の間に接続されたチョークコイルと、
前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、
前記放熱部と前記トランスの前記入力側の前記二本の電圧供給ラインのうちのグランド電位側のラインを接続した第一ラインと、
前記第一容量素子と前記トランスの前記出力側を接続した前記二本の電圧出力ラインのうちのグランド電位側のラインを接続した第二ラインと、を有し、
前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とする画像形成装置。
【請求項７】
更に前記画像形成装置の動作を制御する制御手段を有し、
前記スイッチング電源は前記制御手段に電力を供給することを特徴とする請求項６に記載の画像形成装置。
【発明の詳細な説明】
【技術分野】
【０００１】
本発明は、商用交流電源から入力される交流電圧を整流し、変換するコンバータに設けられるノイズフィルタとしてのラインフィルタに関する。
【背景技術】
【０００２】
従来のラインフィルタは、図４に示すように、商用交流電源に対して挿抜される電源プラグ１と入力された交流電圧を整流する整流部３との間に、第１のノイズフィルタ２５と、整流部３とトランス７の間に、第２のノイズフィルタ２６を有し、更に、電源プラグ１と整流部３との間に抵抗３１を有している（特許文献１参照。）。第１のノイズフィルタ２５は、第１のチョークコイル２７と第１のＸコンデンサ（アクロス・ザ・ライン・コンデンサ）２８とアース（グランドともいう）に接続された第１のＹコンデンサ（ライン・バイパス・コンデンサ）２９、３０で構成されている。また、第２のノイズフィルタ２６は、第２のチョークコイル３２と第２のＸコンデンサ３３とアースに接続された第２のＹコンデンサ３４、３５で構成されている。
【先行技術文献】
【特許文献】
【０００３】
【特許文献１】特公平５−２００８号公報（第４−５頁、第２図、第６図）
【発明の概要】
【発明が解決しようとする課題】
【０００４】
しかしながら、上記従来例では、トランスを駆動するスイッチング部８が動作した際に発生する熱を放熱する放熱部の影響が考慮されていなかった為、以下のような第１の課題が有った。
【０００５】
スイッチング部８が動作した際に、スイッチング部８と放熱部が電気的に結合して放熱部とアース２間の浮遊容量を通して電流が流れ、その電流に起因するコモンモードノイズが発生していた。従来例では、この放熱部によってもたらさせるコモンモードノイズに対する対策が考慮されておらず、スイッチング部８が動作した際に発生する熱を放熱する放熱部を有している構成に対しては、追加のノイズ低減策が必要となる。
【０００６】
また、上記従来例では、商用交流電源と整流部３（整流ブリッジ３ともいう）との間の抵抗３１で、電源供給に寄与しない電力を消費してしまうという第２の課題が有った。この抵抗３１は、商用交流電源に挿抜される電源プラグ１の出力ライン間に接続された第１のＸコンデンサ２８に蓄積されたエネルギー（電荷）を放電して、電源プラグ１が抜かれた際に、ユーザが電源プラグ１の端子に触っても安全な状態にするための放電抵抗である。これは国際安全規格によりＥＭＩ（Ｅｌｅｃｔｒｏｍａｇｎｅｔｉｃ  Ｉｎｔｅｒｆｅｒｅｎｃｅ）フィルタの静電容量が閾値（典型的には、０．１μＦ）を超える場合、電源の入力端子の両端の電圧をある電源プラグが抜かれてから特定期間内に安全な値まで低減すべきことを規定している。その為、スイッチング部８が動作した際に発生する熱を放熱する放熱部を有する構成に対しては、ノイズフィルタの強化や新たなノイズフィルタの追加によって、電源プラグ１の出力ライン間の容量が増加し、抵抗３１の値を大きくする必要があった。その結果、電源供給に寄与しない電力消費（放電抵抗によるもの）が増加してしまった。これは、特にスイッチング部が動作しない状態における消費電力の低減に影響する。
【０００７】
上記課題に鑑み、本明の目的は、スイッチング部８が動作によって発生する熱を放熱する放熱部を有する構成において、十分にノイズ低減が可能なラインフィルタを提供することである。また、電源プラグの出力ライン間に接続されたＸコンデンサの電荷を放電する放電抵抗に係わる電力消費を低減したラインフィルタを供給することである。
【課題を解決するための手段】
【０００８】
上記目的を達成するための本発明のラインフィルタは、交流電圧を整流する整流部と、入力側と出力側が絶縁されており、前記整流部によって整流された電圧が前記入力側に供給され、前記出力側から変換した電圧を出力するトランスと、前記トランスの前記入力側に接続されたスイッチング素子と、前記スイッチング素子を駆動した際に発生する熱を放熱する放熱部を有するスイッチング電源のラインフィルタであって、前記整流部と前記トランスの前記入力側の間に接続されたチョークコイルと、前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、前記放熱部と前記トランスの前記入力側の前記二本の電圧供給ラインのうちのグランド電位側のラインを接続した第一ラインと、前記第一容量素子と前記トランスの前記出力側を接続した前記二本の電圧出力ラインのうちのグランド電位側のラインを接続した第二ラインと、を有し、前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とする。
【０００９】
上記目的を達成するための本発明のスイッチング電源は、交流電圧を整流する整流部と、入力側と出力側が絶縁されており、前記整流部によって整流された電圧が前記入力側に供給され、前記出力側から変換した電圧を出力するトランスと、前記トランスの前記入力側に接続されたスイッチング素子と、前記スイッチング素子を駆動した際に発生する熱を放熱する放熱部と、前記整流部と前記トランスの前記入力側の間に接続されたチョークコイルと、前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、前記放熱部と前記トランスの前記入力側の前記二本の電圧供給ラインのうちのグランド電位側のラインを接続した第一ラインと、前記第一容量素子と前記トランスの前記出力側を接続した前記二本の電圧出力ラインのうちのグランド電位側のラインを接続した第二ラインと、を有し、前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とする。
【００１０】
上記目的を達成するための本発明の画像形成装置は、記録材に画像を形成するための画像形成装置において、前記画像形成装置に電力を供給するスイッチング電源、を有し、前記スイッチング電源は、交流電圧を整流する整流部と、入力側と出力側が絶縁されており、前記整流部によって整流された電圧が前記入力側に供給され、前記出力側から変換した電圧を出力するトランスと、前記トランスの前記入力側に接続されたスイッチング素子と、
前記スイッチング素子を駆動した際に発生する熱を放熱する放熱部と、前記整流部と前記トランスの前記入力側の間に接続されたチョークコイルと、前記トランスの前記入力側に接続された二本の電圧供給ライン間に、前記チョークコイルよりも前記トランスの前記入力側に接続された第一容量素子と、前記トランスの前記出力側に接続された二本の電圧出力ライン間に接続された第二容量素子と、前記放熱部と前記トランスの前記入力側の前記二本の電圧供給ラインのうちのグランド電位側のラインを接続した第一ラインと、
前記第一容量素子と前記トランスの前記出力側を接続した前記二本の電圧出力ラインのうちのグランド電位側のラインを接続した第二ラインと、を有し、前記スイッチング素子を駆動した際に、前記スイッチング素子と前記放熱部と前記第一ラインと前記トランスの前記入力側を介した第一の電流経路に電流が還流し、且つ、前記トランスの前記出力側と前記第二ラインと前記第一容量素子と前記スイッチング素子を介した第二の電流経路に電流が還流することを特徴とする。
【発明の効果】
【００１１】
以上説明したように、本発明によれば、スイッチング部の動作によって発生した熱を放熱する放熱部の影響によるノイズを低減することができる。
【図面の簡単な説明】
【００１２】
【図１】実施例１におけるラインフィルタの構成を示す図である。
【図２】実施例２におけるラインフィルタの構成を示す図である。
【図３】実施例３におけるラインフィルタの構成を示す図である。
【図４】従来例におけるラインフィルタの構成を示す図である。
【図５】本発明のラインフィルタを搭載したスイッチング電源の適用例を示す図である。
【発明を実施するための形態】
【００１３】
以下、上述した課題を解決するための本発明の具体的な構成について、以下の実施例に基づいて説明する。なお、以下に示す実施例は一例であって、この発明の技術的範囲をそれらのみに限定する趣旨のものではない。
【実施例１】
【００１４】
図１は実施例１のラインフィルタの特徴を示す図である。なお、図１（ａ）〜（ｂ）に記載された回路は、商用交流電源から入力された交流電圧を整流平滑してトランスに供給し、トランスの１次側をスイッチング部により駆動することによってトランスの２次側に電圧を発生させて２次側に発生した電圧を整流及び平滑して出力するスイッチング電源（ＡＣＤＣコンバータともいう）の回路である。
【００１５】
図１（ａ）において、１は商用交流電源に挿去される電源プラグ、２は電源プラグ１のアース端子（グランド端子ともいう）に接続されたアース、３は入力される交流電圧を整流する整流部である。４は電源プラグ１と整流部３の間のライン間に接続された第３のコンデンサ、５は整流部３（整流ブリッジ３ともいう）の整流出力ライン間に接続された第４のコンデンサであり、整流部３の直後のライン間に接続されている。６は整流部３から出力された整流電圧を平滑化する第１の平滑コンデンサ、７は第１の平滑コンデンサ６を介して入力された電圧を変換して出力するトランスである。８はトランス７に接続されたスイッチング部、９はスイッチング部８が動作した際に発生する熱を放熱する放熱部である。本実施例では、スイッチング部８としてＦＥＴを用いている。また、放熱部９は放熱パターンを設けた構成としている。１０はトランス７の出力電圧を整流する整流ダイオード、１１は整流ダイオードの出力を平滑化する第２の平滑コンデンサである。１２は第１の電流経路であり、放熱部９を流れる電流をスイッチング部８に還流する経路である。１３は第４のコンデンサ５とトランス７の間のラインの陽極側に一端を接続した第１のコンデンサ。１４は第４のコンデンサ５とトランス７の間のラインの陰極側に一端を接続した第２のコンデンサ。１５は第２の電流経路であり、トランス７の出力電流を第１のコンデンサ１３と第２のコンデンサ１４を介してスイッチング部８に還流する経路である。１６は第１のコイルであり、第３のコンデンサと第１のコンデンサ１３及び第２のコンデンサ１４の間を流れるコモンモード電流１８を抑制する。１７は第２のコイルであり、トランス７と出力間を流れるコモンモード電流１９を抑制する。なお、本実施例では、第１の電流経路と第２の電流経路の二つの電流経路を設けたが、何れか一つを形成する構成であれば、ノイズ電流の低減する効果を得ることができる。
【００１６】
次に、図１（ｂ）を用いて本実施例のラインフィルタの動作を説明する。図１（ｂ）において、スイッチング部８の動作に伴って発生した熱を放熱する放熱部９を流れる電流Ｉｈｃ０は、浮遊容量で結合したアース２とは別に設けた第１の電流経路１２を通じてスイッチング部８に還流する。また、スイッチング部８の動作に伴って発生したトランス７の出力側に流れる電流Ｉｔｃ０は、第２の電流経路１５及び第１のコンデンサ１３、第２のコンデンサ１４を通じてスイッチング部８に還流する。ここでは、第１、第２のコンデンサ１３、１４の両方を通じてスイッチング部８に還流する説明を行ったが、１３と１４どちらか一方のコンデンサを設けた構成であっても、コンデンサが接続されている経路を通じてスイッチング部８に還流することができる。更に、第１のコイル１６よりコモンモード電流１８を抑制することで、スイッチング部８の動作に伴って発生したコモンモード電流１８が商用交流電源側に流れ出ることを抑制する。また、第２のコイル１７によりコモンモード電流１９を抑制することで、スイッチング部８の動作に伴って発生したコモンモード電流１９が出力側に流れ出ることを抑制する。
【００１７】
更に、図１（ｃ）を用いてコモンモード電流の経路を説明する。図１（ｃ）は図１（ａ）を簡略化し、商用交流電源側の接続を示した図である。第１のコンデンサ４と第２のコンデンサ５はノーマルモードノイズ対策のための回路であるため不図示とし、図１（ａ）の６〜１５の構成要件を四端子回路網３６に簡略化した。電源プラグ１が接続される商用交流電源側は、アースと電源ライン間が容量Ｃｓ１及びＣｓ２とで結合している。３７はアースとライン間を流れるコモンモード電流である。図１（ａ）、（ｂ）においては、コモンモード電流１８とコモンモード電流１９を別物として説明したが、実際には、コモンモード電流３７と同一である。その為、図１（ｂ）では第１のコイル１６と第２のコイル１７の２つのコイルで説明を行ったが、どちらか一方のコイルが有れば同様の効果を得ることができる。ここで、図中では第１のコイルとしてコモンモードチョークコイルを、第２のコイルとしてノーマルコイルを一例として挙げているが、コモンモード電流を抑制できるコイルで有ればよく、これに限定されることはない。また、図中では第１のコンデンサ１３、第２のコンデンサ１４が第１のコイル１６と第１の平滑コンデンサ６との間に有るが、第１６のコイルとトランス７の間に有ればよく、この構成に限定されるものではない。
【００１８】
また、第１（ａ）図を用いて整流部３周辺のノイズフィルタの説明をする。整流部３が交流電圧を整流している期間内の、更に整流部３の入力側から出力側へ順方向電流が流れる期間においては、第４のコンデンサ５は第３のコンデンサ４と同様のノイズフィルタとして機能する。整流部３の出力側から入力側へ逆方向電流が流れる期間においては、第３のコンデンサ４のみがノイズフィルタとして機能する。ここで、整流部３の出力側から入力側へ逆方向電流が流れるのは、整流部３のリカバリ特性（整流ダイオードのリカバリ特性）による回復電流が主な要因である。第３のコンデンサ４は、逆方向電流に含まれるノイズ成分をバイパスできる容量に設定し、順方向電流に含まれるノイズ成分をフィルタする為の容量を主に第４のコンデンサ５の容量で賄うように設定する。以上のように、電源プラグ１と整流部３の間のライン間の第３のコンデンサ４の容量を小さくして、電源プラグが抜かれた際に、コンデンサ４に蓄積された電荷を放電する放電抵抗を別途設けずに、電源プラグ端子に触っても安全な状態にすることができる。ここでは、第３のコンデンサ４を含めた電源プラグ１と整流部３の間のライン間の静電容量を、国際安全規格に基づき０．１μＦ以下に設定している。その為に電源プラグ１と整流部３の間のライン間の静電容量を放電する放電抵抗を設ける必要がないので、電源プラグ出力ライン間に接続されたコンデンサに係わる電源供給に寄与しない電力消費を低減することができる。例えば、従来例において第１のＸコンデンサ２８が１．０ｕＦで有った場合、第３のコンデンサ４を０．１ｕＦ、第４のコンデンサ５を０．９ｕＦに設定していた。更に、従来例の第１のＸコンデンサ２８の最適値が１０．１ｕＦの場合、これまで消費電力を考慮してそれより小さい値を設定する必要が有ったが、本実施例では、第３のコンデンサ４を０．１ｕＦ、第４のコンデンサ５を１０．０ｕＦに設定を行うこともできる。これは、本実施例の構成において、第４コンデンサ５が、整流部３により、電源プラグ１が抜かれた時には電源プラグ出力ライン間に接続されたコンデンサと分離されているためである。
【００１９】
以上、説明したように、本実施例によれば、スイッチング部の動作に伴って発生する熱を放熱する放熱部の影響によるノイズを抑制できる。また、Ｘコンデンサの電荷を放電するための放電部としての放電抵抗を無くすことができるので消費電力を低減することができる。
【実施例２】
【００２０】
図２は、実施例２のラインフィルタを示しており、実施例１に変更を加えた回路構成である。以下、実施例２のラインフィルタについて、実施例１と異なる部分を説明する。実施例２のラインフィルタは、図２に示すように、整流部３と第４のコンデンサ５の間にコモンモード電流を抑制するコイルとしてコモンモードチョークコイル２０を接続した回路構成である。
【００２１】
この回路構成によれば、スイッチング部８の動作に伴って発生したコモンモード電流を抑制する特性を強化することができる。これにより、抑制すべき周波数のコモンモード電流に対して最適化したノイズフィルタを構成することができる。つまり、本実施例では、コモンモード電流を抑制するコイルとしてコモンモードチョークコイルを適用する例で説明したが、コモンモード電流を抑制できるコイルで有ればよく、これに限定されることはない。
【００２２】
また、コモンモード電流を抑制するコイルとしてコモンモードチョークコイル２０を使用した場合、コモンモードチョークコイル２０は結合係数が限りなく１（最大値）に近いが、例えば０．９９の場合、０．０１分はノーマルモードコイルとしても機能する。つまり、第１のコモンモードチョークコイル２０と第１のコイル１６に結合係数が１より小さいコモンモードチョークコイルを使用することによって、第１のコモンモードチョークコイル２０と第２のコンデンサ５と第１のコイル１６をノーマルモードのＴ型ＬＣフィルタとして、部品点数を増やすことなく機能させることができる。ノーマルモードのフィルタとしての機能とコモンモードのフィルタとしての機能を両立するための結合係数は、適宜、抑制したい電流に応じて設定すればよい。
【００２３】
以上説明したように、本実施例においても、スイッチング部の動作に伴って発生する熱を放熱する放熱部の影響によるノイズを抑制できる。また、Ｘコンデンサの電荷を放電するための放熱部としての放電抵抗を無くすことができるので消費電力を低減することができる。また、コモンモード電流を抑制する機能を強化してコモンモードノイズをできる。
【実施例３】
【００２４】
図３には、実施例３のラインフィルタを示しており、実施例１に変更を加えた回路構成である。以下、実施例３のラインフィルタついて実施例１と異なる部分を説明する。実施例３では、図３に示すように、電源プラグ１と整流部３の間にノイズフィルタを追加した構成としている。
【００２５】
図３（ａ）においては、電源プラグ１と整流部３の間に直列接続した第５のコンデンサ２１及び第６のコンデンサ２２を接続した回路構成としている。ここで、第５のコンデンサ２１と第６のコンデンサ２２の接続部はアース２に接続している。この回路構成によれば、整流部３とアース２間の浮遊容量によるコモンモード電流の影響が大きい場合に、第５のコンデンサ２１と第６のコンデンサ２２によりコモンモード電流をアース２にバイパスすることができるで、商用交流電源側にコモンモード電流が流れ出ることを抑制することができる。
【００２６】
図３（ｂ）においては、図３（ａ）に対して、更に、電源プラグ１と第５のコンデンサ２１及び第６のコンデンサ２２の間にコモンモード電流を抑制するコイルとしてコモンモードチョークコイル２３を接続した回路構成としている。この構成によれば、第２のコモンモードチョークコイル２３によりコモンモード電流を抑制することで、図３（ａ）よりもコモンモード電流を商用交流電源側に流れ出ることを抑制することができる。ここでは、コモンモード電流を抑制するコイルとしてコモンモードチョークコイルを用いて説明したが、コモンモード電流を抑制できるコイルで有ればよく、これに限定されることはない。
【００２７】
図３（ｃ）においては、図３（ｂ）に対して、更に、コモンモード電流を抑制するコイルとしてのコモンモードチョークコイル２３と第３のコンデンサ４の間にノーマルモードチョークコイル２４を接続した構成としている。この構成によれば、ノーマルモードチョークコイル２４によりラインのインピーダンスが高くなり、その結果、第３のコンデンサ４のノーマルモード電流に対するバイパス性能が向上する。その結果、図３（ｂ）よりもノーマルモード電流を商用交流電源側に流れ出ることを抑制することができる。
【００２８】
以上説明したように、本実施例においても、スイッチング部の動作に伴って発生する熱を放熱する放熱部の影響によるノイズを抑制できる。また、Ｘコンデンサの電荷を放電するための放電部としての放電抵抗を無くすことができるので消費電力を低減することができる。更に、コモンモード電流を抑制するための回路を追加してコモンモードノイズを抑制することができる。更に、ノーマルモード電流を抑制するための回路を追加してノーマルモードノイズを抑制することができる。
【００２９】
［本発明のラインフィルタを搭載したスイッチング電源の適用例］
上記のラインフィルタを搭載したスイッチング電源を、例えばプリンタ、複写機、ファクシミリ等の画像形成装置における低電圧電源として適用することができる。画像形成装置における制御部としてのコントローラへの電力供給のための電源として適用可能である。
【００３０】
図５（ａ）に画像形成装置の一例であるレーザビームプリンタの概略構成を示す。レーザビームプリンタ２００は、画像形成部２１０として潜像が形成される像担持体としての感光ドラム２１１、感光ドラムに形成された潜像をトナーで現像する現像部２１２を備えている。そして感光ドラム２１１に現像されたトナー像をカセット２１６から供給された記録材としてのシート（不図示）に転写して、シートに転写したトナー像を定着器２１４で定着してトレイ２１５に排出する。また、図５（ｂ）に画像形成装置の制御部としてのコントローラへのスイッチング電源からの電力供給ラインを示す。上記のラインフィルタを搭載したスイッチング電源は、画像形成装置の画像形成動作を制御するＣＰＵ３１０を有するコントローラ３００、または、駆動部としてのモータ３１２，３１３に電力を供給する低電圧電源として適用できる。図１５（ｂ）に示すように電力を供給する対象が複数ある場合はスイッチング電源からの電圧を変換するＤＣＤＣコンバータ３１２を設けてコントローラ３００に供給する構成にすればよい。
【００３１】
そして、画像形成装置が動作する場合には、スイッチング部の動作に伴って発生する熱を放熱する放熱部によるノイズの影響を抑制できる。また、画像形成装置が動作をして場合（省電力状態）、コントローラからの指示に応じて装置が省電力状態に移行する際に、スイッチング電源の出力電圧を小さくして軽負荷状態に遷移する。このような軽負荷状態において上記のようなラインフィルタを搭載したスイッチング電源であれば、放電抵抗がないので消費電力を更に低減することができる。なお、適用対象としては、画像形成装置に限らず他の電子機器の低電圧電源としても適用可能である。
【符号の説明】
【００３２】
１  電源プラグ
２  アース
３  整流部（整流ブリッジ）
４  第３のコンデンサ
５  第４のコンデンサ
６  第１の平滑コンデンサ
７  トランス
８  スイッチング部
９  放熱部（放熱パターン）
１０  整流ダイオード
１１  第２の平滑コンデンサ
１２  第１の電流経路
１３  第１のコンデンサ
１４  第２のコンデンサ
１５  第２の電流経路
１６  第１のコイル
１７  第２のコイル
【図１】
0005995572.tif 000002
【図２】
0005995572.tif 000003
【図３】
0005995572.tif 000004
【図４】
0005995572.tif 000005
【図５】
0005995572.tif 000006